【手続補正書】
【提出日】平成20年6月6日(2008.6.6)
【手続補正１】
【補正対象書類名】明細書
【補正対象項目名】特許請求の範囲
【補正方法】変更
【補正の内容】
【特許請求の範囲】
【請求項１】  低テンション弛緩ゾーンを有するヤーン製造方法において、弛緩ゾーンにテンションゲートを設けて、該テンションゲートが少なくとも５mg/dのテンション差をヤーン上に生じさせ、テンションゲートは空気抵抗装置（air drag device）又は液体抵抗装置（liquid drag device）の１種以上を備えることを特徴とするヤーン製造方法。
【請求項２】  低テンション弛緩ゾーンを有するヤーン製造方法において、少なくとも５mg/dのヤーン上にテンション差を生じさせ且つ１個以上のロールを含むテンションゲートを弛緩ゾーンに設けることを含むヤーン製造方法。
【請求項３】  延伸−加撚プロセス、延伸−巻回プロセス、又は延伸−バルキングプロセスにおいて、ヤーンの安定性を改良しながらヤーンを弛緩する方法において、弛緩ヤーンと一緒に、ヤーンの少なくとも５mg/dのテンション差を有するテンションゲートを利用する方法。
【請求項４】  ヤーンの安定性を改良しながら、紡糸延伸プロセスにおいて、ヤーンを弛緩する方法であって、弛緩されたヤーンと一緒に、ヤーンの少なくとも５mg/dのテンション差を有し且つ１個以上のロールを含むテンションゲートを利用する弛緩方法。
【請求項５】  ヤーン上のテンションを増加させるテンションゲート装置であって、空気抵抗装置又は液体抵抗装置の１種以上を含み、ヤーンの少なくとも５mg/dのテンション差を有する装置。
【請求項６】  ヤーン上のテンションを増加させるテンションゲート装置であって、１個以上の交絡処理装置、１個以上の仕上げ装置、及び１個以上のロールの組合せを含む装置。
【請求項７】  ヤーン上のテンションを増加させるテンションゲート装置であって、１個以上のロールを有する１個以上の交絡処理装置を含む装置。
【請求項８】  ヤーン上のテンションを増加させるテンションゲート装置であって、１個以上の交絡処理装置を有する１個以上の仕上げ装置を含む装置。
【請求項９】  ヤーン上のテンションを増加させるテンションゲート装置であって、１個以上の駆動型ロール又は回転自在ロールを有する１個以上の仕上げ装置を含む装置。
【手続補正２】
【補正対象書類名】明細書
【補正対象項目名】００４１
【補正方法】変更
【補正の内容】
【００４１】
以下に、本発明の種々の態様を示す。
１．低テンション弛緩ゾーンを有するヤーン製造方法において、少なくとも５mg/デニールのテンション差をヤーンに生じさせるテンションゲートを、弛緩ゾーンに設けるプロセスを含む方法。
２．第１項のヤーン製造方法において、テンションゲートは、空気抵抗装置、液体抵抗装置又は固体表面接触抵抗装置の１種以上を含む方法。
３．第２項のヤーン製造方法において、空気抵抗装置は、交絡処理装置（intermingler）又は空気向流装置である方法。
４．第２項のヤーン製造方法において、液体抵抗装置は、仕上げ装置又はスレッドライン経路における液体プールを含む方法。
５．第２項のヤーン製造方法において、固体表面接触抵抗装置は、１個以上のロールである方法。
６．第１項のヤーン製造方法において、テンションゲートは、１個以上の交絡処理装置、仕上げ装置、ロール又はこれらの組合せを含む方法。
７．第６項のヤーン製造方法において、テンションゲートは１個以上の交絡処理装置であり、各交絡処理装置は、少なくとも10psiの空気／ガス圧力を有する方法。
８．第６項のヤーン製造方法において、テンションゲートは、１個以上の仕上げ装置であり、各仕上げ装置は、少なくとも装置とヤーンとの間に液体膜を形成するために必要な最小量の流体を用いる方法。
９．第１項のヤーン製造方法において、弛緩ゾーンは、紡糸−延伸プロセス、延伸−加撚プロセス、延伸−巻回プロセス、又は延伸−バルキングプロセスにおいて生じる方法。
１０．紡糸−延伸プロセス、延伸−加撚プロセス、延伸−巻回プロセス又は延伸−バルキングプロセス中に、ヤーンの安定性を改良しながらヤーンを弛緩させる方法において、弛緩ヤーンと一緒に、少なくとも５mg/デニールのヤーンテンション差を有するテンションゲートを用いる方法。
１１．第１０項のヤーン製造方法において、テンションゲートは、空気抵抗装置、液体抵抗装置又は固体表面接触抵抗装置の１種以上を含む方法。
１２．第１１項のヤーン製造方法において、空気抵抗装置は、交絡処理装置又は空気向流装置を含む方法。
１３．第１１項のヤーン製造方法において、液体抵抗装置は、仕上げ装置又はスレッドライン経路中の液体プールを含む方法。
１４．第１１項のヤーン製造方法において、固体表面抵抗装置は、１個以上のロールである方法。
１５．第１０項のヤーン製造方法において、テンションゲートは、交絡処理装置、仕上げ装置、又はロール又はこれらの組合せの１種以上を含む方法。
１６．第１５項のヤーン製造方法において、テンションゲートは、１個以上の交絡処理装置であり、各交絡処理装置は少なくとも10psiの空気／ガス圧力を有する方法。
１７．第１５項のヤーン製造方法において、テンションゲートは、１個以上の仕上げ装置であり、各仕上げ装置は、少なくとも装置とヤーンとの間に液体膜を形成するに必要な最小量の流体を用いる方法。
１８．ヤーン製造のための紡糸−延伸方法において、
Ａ．ポリマーを溶融紡糸して、ヤーンを製造し；
Ｂ．紡糸ヤーンを延伸して、物理的特性を得て；
Ｃ．ヤーンを弛緩させて、ヤーン収縮を減少させ；
Ｄ．ヤーンを巻回し、
延伸及び弛緩プロセスの間に、少なくとも5mg/デニールのテンション差を有するヤーンに対するテンションゲートを設ける方法。
１９．ヤーン上のテンションを増加させるためのテンションゲートであって、空気抵抗装置、液体抵抗装置又は固体表面接触抵抗装置の１種以上を含み、少なくとも5mg／デニールのテンション差を有するテンションゲート。
２０．第１９項のテンションゲートであって、空気抵抗装置は、交絡処理装置又は空気向流装置を含むテンションゲート。
２１．第１９項のテンションゲートであって、液体抵抗装置は、仕上げ装置又はスレッドライン経路内の液体プールを含むテンションゲート。
２２．第１９項のテンションゲートであって、固体表面接触抵抗装置は、１個以上のロールであるテンションゲート。
２３．第１９項のテンションゲートであって、交絡処理装置、仕上げ装置又はロール又はこれらの組合せの１種以上を含むテンションゲート。
２４．第１項のヤーン製造方法であって、ヤーン破断が生じない方法。
２５．第１０項のヤーン製造方法であって、ヤーン破断が生じない方法。
２６．第１項に記載の方法であって、ヤーンはポリエステルである方法。
２７．第４項のヤーン製造方法において、テンションゲートは、１個以上の仕上げ装置であり、各仕上げ装置は、少なくとも装置とヤーンとの間に液体膜を形成するために必要な最小量の流体を用いる方法。
２８．第２７項に記載のヤーン製造方法であって、１個以上のロールは、タービン駆動型ロール又は回転自在ロール又はこれらの組合せを含むヤーン製造方法。
２９．第１０項に記載の方法であって、ヤーンはポリエステルである方法。
３０．ヤーンの安定性を改良しながら、紡糸延伸プロセスにおいて、ヤーンを弛緩する方法であって、弛緩されたヤーンと一緒に、ヤーンの少なくとも５mg/dのテンション差を有し且つ１個以上のロールを含むテンションゲートを利用する弛緩方法。
３１．第３０項に記載の方法であって、ロールは、タービン駆動型ロール又は回転自在ロール又はこれらの組合せを含む方法。
３２．第３０項に記載の方法であって、ヤーンはポリエステルである方法。
３３．第１項のヤーン製造方法において、液体抵抗装置は、仕上げ装置又はスレッドライン経路における液体プールを含む方法。
３４．第２項に記載のヤーン製造方法において、テンションゲートは、１種以上の交絡処理装置を含み、各交絡処理装置は少なくとも10psiの空気／ガス圧力を有することを特徴とするヤーン製造方法。
３５．第４項に記載のヤーン製造方法において、テンションゲートは、１種以上の仕上げ装置を含み、各仕上げ装置は、少なくとも仕上げ装置とヤーンとの間に液体膜を形成するために必要な最少量の流体を用いることを特徴とするヤーン製造方法。